【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
アクセス端末であって、前記アクセス端末は下記を備える、
通信インターフェースと、
モデム構成データを備える記憶媒体と、
第１のキャリア識別情報を含む第１のサブスクリプションモジュールと、
前記通信インターフェースと、前記記憶媒体と、前記サブスクリプションモジュールとに結合された処理回路、前記処理回路は、
ワイヤレスサービスプロバイダの自動選択機能が有効化されたと決定すると、前記第１のサブスクリプションモジュールからの前記第１のキャリア識別情報を決定し、
前記モデム構成データから、前記第１のキャリア識別情報に関連するキャリア固有ソフトウェアイメージおよびハードウェア構成を含む第１のモデム構成を選択し、
前記第１のキャリア識別情報に関連するモデム構成が配置されていないときにデフォルトモデム構成を選択し、
前記第１のキャリア識別情報に関連するキャリアを用いて動作するように前記ハードウェア構成に従って前記通信インターフェースを構成するために前記選択されたモデム構成をアクティブ化する、
ように構成される。
【請求項２】
前記第１のキャリア識別情報が、前記第１のサブスクリプションモジュールの集積回路カード識別子（ＩＣＣＩＤ）中に含まれる発行者識別番号（ＩＩＮ）から決定される、請求項１に記載のアクセス端末。
【請求項３】
前記第１のキャリア識別情報が、前記第１のサブスクリプションモジュールのモバイル国コード（ＭＣＣ）とモバイルネットワークコード（ＭＮＣ）とを含むパブリックランドモバイルネットワークＩＤ（ＰＬＭＮＩＤ）から決定される、請求項１に記載のアクセス端末。
【請求項４】
前記第１のキャリア識別情報が、前記第１のサブスクリプションモジュールに関連する国際モバイル加入者識別情報（ＩＭＳＩ）から決定される、請求項１に記載のアクセス端末。
【請求項５】
前記第１のモデム構成が、前記キャリア固有ソフトウェアイメージとキャリア固有ソフトウェア構成を備え、前記キャリア固有ソフトウェアイメージは、前記キャリア固有ソフトウェア構成とは別個である、請求項１に記載のアクセス端末。
【請求項６】
前記処理回路は、
前記第１のサブスクリプションモジュールが、前記第１のキャリア識別情報とは異なる第２のキャリア識別情報を含む第２のサブスクリプションモジュールと入れ替えられたと決定し、
前記モデム構成データから前記第２のキャリア識別情報に関連する第２のキャリア固有ソフトウェアイメージを含む第２のモデム構成を選択し、
前記第２のキャリア識別情報に関連するキャリアを用いて動作するように前記通信インターフェースを構成するために前記第１のモデム構成の代替として前記第２のモデム構成をアクティブ化する、ようにさらに構成された、請求項１に記載のアクセス端末。
【請求項７】
前記処理回路は、前記アクセス端末が電源投入された時間に、前記第１のサブスクリプションモジュールが、前記アクセス端末が電源切断されたときに前記第２のサブスクリプションモジュールと入れ替えられたと決定するようにさらに構成された、請求項６に記載のアクセス端末。
【請求項８】
前記処理回路は、前記第１のサブスクリプションモジュールがランタイム動作中に前記第２のサブスクリプションモジュールと入れ替えられたと決定するようにさらに構成された、請求項６に記載のアクセス端末。
【請求項９】
ワイヤレスサービスプロバイダは、ワイヤレスボイスおよびデータ通信サービスについて加入者から支払いを受け取るエンティティを備える、請求項１に記載のアクセス端末。
【請求項１０】
前記ハードウェア構成は、ピンマッピング、ポートマッピング、電力増幅器利得制御設定、またはアンテナ同調のうちの少なくとも１つを備える、請求項１に記載のアクセス端末。
【請求項１１】
アクセス端末上で動作可能な方法であって、前記方法は下記を備える、
ワイヤレスサービスプロバイダの自動選択機能が有効化されたと決定すると、サブスクリプションモジュールからのキャリア識別情報を決定することと、
記憶媒体に記憶されたモデム構成データから前記キャリア識別情報に関連するソフトウェアイメージおよびハードウェア構成を備えるモデム構成を選択することと、
前記キャリア識別情報に関連するモデム構成が配置されていないときにデフォルトモデム構成を選択することと、
前記キャリア識別情報に関連する動作を可能にするように前記ハードウェア構成に従って通信インターフェースを構成するために、前記選択されたモデム構成をアクティブ化すること。
【請求項１２】
前記サブスクリプションモジュールからの前記キャリア識別情報を決定することが、前記サブスクリプションモジュールの集積回路カード識別子（ＩＣＣＩＤ）中に含まれる発行者識別番号（ＩＩＮ）を識別することを備える、請求項１１に記載の方法。
【請求項１３】
前記サブスクリプションモジュールからの前記キャリア識別情報を決定することが、前記サブスクリプションモジュールに関連するパブリックランドモバイルネットワークＩＤ（ＰＬＭＮＩＤ）からのモバイル国コード（ＭＣＣ）とモバイルネットワークコード（ＭＮＣ）とを識別することを備える、請求項１１に記載の方法。
【請求項１４】
前記サブスクリプションモジュールからの前記キャリア識別情報を決定することが、
前記サブスクリプションモジュールに関連する国際モバイル加入者識別情報（ＩＭＳＩ）にアクセスすることと、
前記サブスクリプションモジュールに関連する前記ＩＭＳＩを含むＩＭＳＩの範囲に関連するキャリアの識別情報を識別することと、を備える、請求項１１に記載の方法。
【請求項１５】
前記サブスクリプションモジュールからの前記キャリア識別情報を決定することは、前記サブスクリプションモジュールが前のサブスクリプションモジュールと入れ替わったことと、前記サブスクリプションモジュールからの前記キャリア識別情報が前記前のサブスクリプションモジュール中の前のキャリア識別情報とは異なることとを決定することを備える、請求項１１に記載の方法。
【請求項１６】
前記サブスクリプションモジュールが前記前のサブスクリプションモジュールと入れ替わったことを決定することは、前記サブスクリプションモジュールがランタイム動作中に前記前のサブスクリプションモジュールと入れ替わったことを検出することを備える、請求項１５に記載の方法。
【請求項１７】
前記キャリア識別情報に関連する動作を可能にするように前記通信インターフェースを構成するために、前記選択されたモデム構成をアクティブ化することが、
前のモデム構成を前記選択されたモデム構成と入れ替えることを備え、ここにおいて、前記前のモデム構成が、前記前のキャリア識別情報に関連する動作を可能にするように前記通信インターフェースを構成するように適応された、請求項１５に記載の方法。
【請求項１８】
前記サブスクリプションモジュールからの前記キャリア識別情報を決定することは、前記アクセス端末が電源投入されたときに前記サブスクリプションモジュールからの前記キャリア識別情報を決定することを備える、請求項１１に記載の方法。
【請求項１９】
前記記憶媒体に記憶されたモデム構成データから前記キャリア識別情報に関連する前記ソフトウェアイメージを備える前記モデム構成を選択することが、前記モデム構成データから、前記キャリア識別情報に関連する前記ソフトウェアイメージとソフトウェア構成を選択することを備え、前記ソフトウェアイメージは、前記ソフトウェア構成とは別個である、請求項１１に記載の方法。
【請求項２０】
前記キャリア識別情報に関連する動作を可能にするように前記通信インターフェースを構成するために、前記選択されたモデム構成をアクティブ化することが、前記キャリア識別情報に関連するキャリアを用いて動作するように前記通信インターフェースを構成するために、前記選択されたモデム構成をアクティブ化することを備える、請求項１１に記載の方法。
【請求項２１】
アクセス端末であって、前記アクセス端末は下記を備える、
ワイヤレスサービスプロバイダの自動選択機能が有効化されたと決定すると、第１のサブスクリプションモジュールからの第１のキャリア識別情報を決定するための手段と、
記憶媒体に記憶されたモデム構成データから前記第１のキャリア識別情報に関連するキャリア固有ソフトウェアイメージおよびハードウェア構成を含む第１のモデム構成を選択するための手段と、
前記第１のキャリア識別情報に関連するモデム構成が配置されていないときにデフォルトモデム構成を選択するための手段と、
前記第１のキャリア識別情報に関連するキャリアを用いて動作するように前記ハードウェア構成に従って通信インターフェースを構成するために前記選択されたモデム構成をアクティブ化するための手段。
【請求項２２】
前記第１のキャリア識別情報が、前記第１のサブスクリプションモジュールの集積回路カード識別子（ＩＣＣＩＤ）中に含まれる発行者識別番号（ＩＩＮ）を備える、請求項２１に記載のアクセス端末。
【請求項２３】
前記第１のキャリア識別情報が、前記第１のサブスクリプションモジュールのパブリックランドモバイルネットワークＩＤ（ＰＬＭＮＩＤ）に関連するモバイル国コード（ＭＣＣ）とモバイルネットワークコード（ＭＮＣ）とを備える、請求項２１に記載のアクセス端末。
【請求項２４】
前記第１のキャリア識別情報が、前記第１のサブスクリプションモジュールに関連する国際モバイル加入者識別情報（ＩＭＳＩ）を備える、請求項２１に記載のアクセス端末。
【請求項２５】
前記第１のモデム構成が、前記キャリア固有ソフトウェアイメージとキャリア固有ソフトウェア構成を備え、前記キャリア固有ソフトウェアイメージは、前記キャリア固有ソフトウェア構成とは別個である、請求項２１に記載のアクセス端末。
【請求項２６】
前記第１のサブスクリプションモジュールが、前記第１のキャリア識別情報とは異なる第２のキャリア識別情報を含む第２のサブスクリプションモジュールと入れ替えられたと決定するための手段と、
前記モデム構成データから前記第２のキャリア識別情報に関連する第２のモデム構成を選択するための手段と、
前記第２のキャリア識別情報に関連するキャリアを用いて動作するように前記通信インターフェースを構成するために前記第１のモデム構成の代替として前記第２のモデム構成をアクティブ化するための手段と、をさらに備える、請求項２１に記載のアクセス端末。
【請求項２７】
前記第１のサブスクリプションモジュールは、前記アクセス端末が電源切断されたときに前記第２のサブスクリプションモジュールと入れ替えられ、前記第１のサブスクリプションモジュールが前記第２のサブスクリプションモジュールと入れ替えられたという前記決定は、前記アクセス端末が再び電源投入されたときに行われる、請求項２６に記載のアクセス端末。
【請求項２８】
前記第１のサブスクリプションモジュールは、前記アクセス端末が電源投入されたときにランタイム動作中に前記第２のサブスクリプションモジュールと入れ替えられ、前記第１のサブスクリプションモジュールが前記第２のサブスクリプションモジュールと入れ替えられたという前記決定は前記ランタイム動作中に行われる、請求項２６に記載のアクセス端末。
【請求項２９】
非一時的なプロセッサ可読記憶媒体であって、処理回路に、
ワイヤレスサービスプロバイダの自動選択機能が有効化されたと決定すると、サブスクリプションモジュールからのキャリア識別情報を決定させ、
記憶媒体に記憶されたモデム構成データから前記キャリア識別情報に関連するキャリア固有ソフトウェアイメージおよびハードウェア構成を含むモデム構成を選択させ、
前記キャリア識別情報に関連するモデム構成が配置されていないときにデフォルトモデム構成を選択させ、
前記キャリア識別情報に関連する動作を可能にするように前記ハードウェア構成に従って通信インターフェースを構成するために、前記選択されたモデム構成をアクティブ化させる、
ためのプログラミングを備える、非一時的なプロセッサ可読記憶媒体。
【請求項３０】
前記キャリア識別情報が、
前記サブスクリプションモジュールの集積回路カード識別子（ＩＣＣＩＤ）中に含まれる発行者識別番号（ＩＩＮ）、
前記サブスクリプションモジュールのパブリックランドモバイルネットワークＩＤ（ＰＬＭＮＩＤ）、前記ＰＬＭＮＩＤがモバイル国コード（ＭＣＣ）とモバイルネットワークコード（ＭＮＣ）とを含む、
前記サブスクリプションモジュールに関連する国際モバイル加入者識別情報（ＩＭＳＩ）、あるいは
前記ＩＩＮと、前記ＰＬＭＮＩＤと、前記ＩＭＳＩとのうちの２つまたはそれ以上の組合せを備える、請求項２９に記載の非一時的なプロセッサ可読記憶媒体。
【請求項３１】
前記サブスクリプションモジュールからの前記キャリア識別情報の前記決定は、前記サブスクリプションモジュールが前のサブスクリプションモジュールと入れ替わっており、前記サブスクリプションモジュールからの前記キャリア識別情報が前記前のサブスクリプションモジュール中の前のキャリア識別情報とは異なる、という決定を備える、請求項２９に記載の非一時的なプロセッサ可読記憶媒体。
【請求項３２】
前記選択されたモデム構成が、前のモデム構成の少なくとも一部分を前記選択されたモデム構成と入れ替えることによってアクティブ化され、ここにおいて、前記前のモデム構成が、前記前のキャリア識別情報に関連する動作を可能にするように前記通信インターフェースを構成するように適応された、請求項３１に記載の非一時的なプロセッサ可読記憶媒体。
【請求項３３】
前記モデム構成が、前記キャリア固有ソフトウェアイメージとキャリア固有ソフトウェア構成を備え、前記キャリア固有ソフトウェアイメージは、前記キャリア固有ソフトウェア構成とは別個である、請求項２９に記載の非一時的なプロセッサ可読記憶媒体。